(57)【要約】      （修正有）【課題】化粧品を取ることをもっと便利にし携帯しやすいコスメバッグを提供する。【解決手段】コスメバッグは、バッグ主体１０を含み、前記バッグ主体の頂部には蓋１２がヒンジにより連結され、前記蓋の底端には反射鏡１３が固定的に設置され、前記反射鏡が光を反射する作用を果たし、前記蓋の底端右側位置の所には蓋をロックできるロックブロックが固定的に設置され、前記バッグ主体の中には化粧品を置くことができる貯蔵機構８１が設置され、中部空きチャンバ２１の底部には長スライド溝２２が設置され、前記長スライド溝の中には前記貯蔵機構を上昇または下降させる昇降機構８０が設置され、蓋を開け、昇降板２５を上昇させ、昇降板が収納ブロック２６を連動させて上昇させ、更に貯蔵チャンバ２７の中の化粧品を取って使用することができる。【選択図】図１
2020175130.tif 000002
【特許請求の範囲】
【請求項１】
正面視で、バッグ主体を含み、前記バッグ主体の頂部には蓋がヒンジにより連結され、前記蓋の頂部には取っ手が固定的に設置され、前記蓋の底端には反射鏡が固定的に設置され、前記反射鏡が光を反射する作用を果たし、前記蓋の底端右側位置の所にはロックブロックが固定的に設置され、前記ロックブロックの中には円弧溝が設置され、前記バッグ主体の中には中部空きチャンバが設置され、前記バッグ主体の中には化粧品を置くことができる貯蔵機構が設置され、前記中部空きチャンバの底部には長スライド溝が設置され、前記長スライド溝の底壁には第一糸巻きチャンバが設置され、前記長スライド溝と前記中部空きチャンバとの間が連通溝により連通され、前記長スライド溝の中には前記貯蔵機構を上昇または下降させる昇降機構が設置され、前記中部空きチャンバの左右両側端壁には矩形スライド溝が対称的に設置され、前記第一糸巻きチャンバの左側には第二糸巻きチャンバが設置され、前記第二糸巻きチャンバの頂部には第三糸巻きチャンバが設置されることを特徴とする携帯しやすいコスメバッグ。
【請求項２】
前記貯蔵機構は前記中部空きチャンバの中にスライドできるように設置される収納ブロックを含み、前記収納ブロックの中には円柱ケースが回転できるように設置され、前記円柱ケースには貯蔵チャンバが設置され、前記貯蔵チャンバが二つあり、且つ上下対称的に設置され、前記貯蔵チャンバの左右両側端壁の間には弧状板が固定的に設置され、前記弧状板には阻み板がスライドできるように設置され、前記阻み板の中には弧状溝が設置され、前記弧状溝の中には固定板が固定的に設置され、前記固定板と前記弧状板との間にはばねが装着され、右側の前記矩形スライド溝の右壁内には反転軸が回転できるように設置され、前記反転軸の左側末端には第一ギヤが固定的に設置され、前記反転軸の右側末端には反転ボタンが固定的に設置され、前記円柱ケースの中には横軸が固定的に設置され、前記横軸が前記円柱ケースの右側を貫通し、且つ前記円柱ケースと回転できるように設置され、前記収納ブロックの左右両端には固定ブロックが固定的に設置され、左側の前記固定ブロックと左側の前記矩形スライド溝との間には復帰ばねが装着され、右側の前記固定ブロックの中には凹溝が設置され、前記横軸が前記凹溝の中に挿入し、且つ前記固定ブロックと回転できるように装着され、前記横軸の右端には第二ギヤが固定的に設置され、収納ブロックを制御して上昇させることにより、第二ギヤを第一ギヤと噛み合わせ、反転ボタンをひねることにより第一ギヤが横軸を連動させて回転させ、更に円柱ケースを連動させて反転させ、手で阻み板をスライドさせ、それにより阻み板を開け、更に貯蔵チャンバの中の化粧品を取って使用することができることを特徴とする請求項１に記載の携帯しやすいコスメバッグ。
【請求項３】
前記昇降機構は前記第一糸巻きチャンバの中に回転できるように設置される二つの互いに噛み合っている第三ギヤを含み、前記第三ギヤの前側端面には第一リールが固定的に設置され、前記長スライド溝の中には左右対称のスライダがスライドできるように設置され、二つの前記スライダのうち互いに近接している一端にはいずれもコンロッドがヒンジにより連結され、前記収納ブロックの底端には昇降板がスライドできるように設置され、前記昇降板が前記コンロッドとヒンジにより連結され、前記第二糸巻きチャンバの中には第二リールが回転できるように設置され、前記第三糸巻きチャンバの中には第三リールが回転できるように設置され、前記第三リールの前端には第四ギヤが固定的に設置され、前記第三糸巻きチャンバの中にはまた第五ギヤが回転できるように設置され、前記第五ギヤが前記第四ギヤと噛み合い、前記第五ギヤの前側端には第四リールが固定的に設置され、前記第四リールと前記蓋との間が第一引き線により連結され、前記第三リールには第二引き線が固定的に設置され、前記第二引き線が前記第二リール及び左側の前記第一リールを経由して左側の前記スライダと固定され、右側の前記第一リールと右側の前記矩形スライド溝との間には第三引き線が連結され、蓋を開けることにより、第一引き線が第四リールを引き動かして回転させ、更にこれにより第五ギヤが第四ギヤを連動させて回転させ、第三リールが第二引き線を引き動かし、更にこれにより左右対称の二つのスライダを互いに近づかせることを特徴とする請求項１に記載の携帯しやすいコスメバッグ。
【請求項４】
前記反転軸の頂部にはロック空きチャンバが設置され、前記ロック空きチャンバの中には回転ギヤが回転できるように設置され、前記回転ギヤの前端には止め金が固定的に設置され、前記ロック空きチャンバの右壁内には小回転軸が回転できるように設置され、前記小回転軸の左端にはベベルギヤが固定的に設置され、前記ベベルギヤが前記回転ギヤと噛み合って設置され、前記小回転軸の右端にはつまみが固定的に設置され、前記バッグ主体の右端面にはボタン溝が設置され、前記ボタン溝の左側端壁には縦スライド溝が設置され、前記縦スライド溝の中には第一スライド板がスライドできるように設置され、前記第一スライド板の左側端には第一復帰機構が固定的に設置され、前記第一スライド板の右端にはスライドボタンが固定的に設置され、前記縦スライド溝の左側端壁には横スライド溝が設置され、前記横スライド溝の中には第二スライド板がスライドできるように設置され、前記第二スライド板の頂端には第二復帰機構が設置され、前記収納ブロックの右側端面には小スライドチャンバが設置され、前記小スライドチャンバの中には引っ掛かりブロックがスライドできるように設置され、前記引っ掛かりブロックと前記小スライドチャンバとの間には圧力ばねが装着され、本装置は使用しない時につまみを回転させることにより、小回転軸がベベルギヤを連動させて回転させ、更に回転ギヤを回転させ、更に止め金を円弧溝の中に引っ掛からせ、収納ブロックが一定の程度上昇した後、引っ掛かりブロックが横スライド溝の中に引っ掛かり、これにより収納ブロックが制限され、更に化粧品を取って使用することができることを特徴とする請求項１に記載の携帯しやすいコスメバッグ。
【発明の詳細な説明】
【技術分野】
【０００１】
本発明はコスメバッグ分野を取り上げて、具体的には携帯しやすいコスメバッグである。
【背景技術】
【０００２】
現在市販されているほとんどのコスメバッグは構成が簡単であり、化粧品をコスメバッグの中に置いたらごちゃごちゃになりやすく、分類して置くことができなく、使用する時に物を探すことが難しく、時間がかかり、しかも鏡などの物を置くことが不便であり、化粧品と一緒に置くと鏡が割れやすい。そのため、コスメバッグを設計し、上記の問題を解決することが必要である。
【先行技術文献】
【特許文献】
【０００３】
【特許文献１】中国特許出願公開第102963587号明細書
【発明の概要】
【発明が解決しようとする課題】
【０００４】
本発明は携帯しやすいコスメバッグを提供し、従来技術における上記欠点を解消することを目的とする。
【課題を解決するための手段】
【０００５】
本発明の実施例の携帯しやすいコスメバッグは、バッグ主体を含み、前記バッグ主体の頂部には蓋がヒンジにより連結され、前記蓋の頂部には取っ手が固定的に設置され、前記蓋の底端には反射鏡が固定的に設置され、前記反射鏡が光を反射する作用を果たし、前記蓋の底端右側位置の所にはロックブロックが固定的に設置され、前記ロックブロックの中には円弧溝が設置され、前記バッグ主体の中には中部空きチャンバが設置され、前記バッグ主体の中には化粧品を置くことができる貯蔵機構が設置され、前記中部空きチャンバの底部には長スライド溝が設置され、前記長スライド溝の底壁には第一糸巻きチャンバが設置され、前記長スライド溝と前記中部空きチャンバとの間が連通溝により連通され、前記長スライド溝の中には前記貯蔵機構を上昇または下降させる昇降機構が設置され、前記中部空きチャンバの左右両側端壁には矩形スライド溝が対称的に設置され、前記第一糸巻きチャンバの左側には第二糸巻きチャンバが設置され、前記第二糸巻きチャンバの頂部には第三糸巻きチャンバが設置される。
【０００６】
更の技術プランとしては、前記貯蔵機構は前記中部空きチャンバの中にスライドできるように設置される収納ブロックを含み、前記収納ブロックの中には円柱ケースが回転できるように設置され、前記円柱ケースには貯蔵チャンバが設置され、前記貯蔵チャンバが二つあり、且つ上下対称的に設置され、前記貯蔵チャンバの左右両側端壁の間には弧状板が固定的に設置され、前記弧状板には阻み板がスライドできるように設置され、前記阻み板の中には弧状溝が設置され、前記弧状溝の中には固定板が固定的に設置され、前記固定板と前記弧状板との間にはばねが装着され、右側の前記矩形スライド溝の右壁内には反転軸が回転できるように設置され、前記反転軸の左側末端には第一ギヤが固定的に設置され、前記反転軸の右側末端には反転ボタンが固定的に設置され、前記円柱ケースの中には横軸が固定的に設置され、前記横軸が前記円柱ケースの右側を貫通し、且つ前記円柱ケースと回転できるように設置され、前記収納ブロックの左右両端には固定ブロックが固定的に設置され、左側の前記固定ブロックと左側の前記矩形スライド溝との間には復帰ばねが装着され、右側の前記固定ブロックの中には凹溝が設置され、前記横軸が前記凹溝の中に挿入し、且つ前記固定ブロックと回転できるように装着され、前記横軸の右端には第二ギヤが固定的に設置され、収納ブロックを制御して上昇させることにより、第二ギヤを第一ギヤと噛み合わせ、反転ボタンをひねることにより第一ギヤが横軸を連動させて回転させ、更に円柱ケースを連動させて反転させ、手で阻み板をスライドさせ、それにより阻み板を開け、更に貯蔵チャンバの中の化粧品を取って使用することができる。
【０００７】
更の技術プランとしては、前記昇降機構は前記第一糸巻きチャンバの中に回転できるように設置される二つの互いに噛み合っている第三ギヤを含み、前記第三ギヤの前側端面には第一リールが固定的に設置され、前記長スライド溝の中には左右対称のスライダがスライドできるように設置され、二つの前記スライダのうち互いに近接している一端にはいずれもコンロッドがヒンジにより連結され、前記収納ブロックの底端には昇降板がスライドできるように設置され、前記昇降板が前記コンロッドとヒンジにより連結され、前記第二糸巻きチャンバの中には第二リールが回転できるように設置され、前記第三糸巻きチャンバの中には第三リールが回転できるように設置され、前記第三リールの前端には第四ギヤが固定的に設置され、前記第三糸巻きチャンバの中にはまた第五ギヤが回転できるように設置され、前記第五ギヤが前記第四ギヤと噛み合い、前記第五ギヤの前側端には第四リールが固定的に設置され、前記第四リールと前記蓋との間が第一引き線により連結され、前記第三リールには第二引き線が固定的に設置され、前記第二引き線が前記第二リール及び左側の前記第一リールを経由して左側の前記スライダと固定され、右側の前記第一リールと右側の前記矩形スライド溝との間には第三引き線が連結され、蓋を開けることにより、第一引き線が第四リールを引き動かして回転させ、更にこれにより第五ギヤが第四ギヤを連動させて回転させ、第三リールが第二引き線を引き動かし、更にこれにより左右対称の二つのスライダを互いに近づかせる。
【０００８】
更の技術プランとしては、前記反転軸の頂部にはロック空きチャンバが設置され、前記ロック空きチャンバの中には回転ギヤが回転できるように設置され、前記回転ギヤの前端には止め金が固定的に設置され、前記ロック空きチャンバの右壁内には小回転軸が回転できるように設置され、前記小回転軸の左端にはベベルギヤが固定的に設置され、前記ベベルギヤが前記回転ギヤと噛み合って設置され、前記小回転軸の右端にはつまみが固定的に設置され、前記バッグ主体の右端面にはボタン溝が設置され、前記ボタン溝の左側端壁には縦スライド溝が設置され、前記縦スライド溝の中には第一スライド板がスライドできるように設置され、前記第一スライド板の左側端には第一復帰機構が固定的に設置され、前記第一スライド板の右端にはスライドボタンが固定的に設置され、前記縦スライド溝の左側端壁には横スライド溝が設置され、前記横スライド溝の中には第二スライド板がスライドできるように設置され、前記第二スライド板の頂端には第二復帰機構が設置され、前記収納ブロックの右側端面には小スライドチャンバが設置され、前記小スライドチャンバの中には引っ掛かりブロックがスライドできるように設置され、前記引っ掛かりブロックと前記小スライドチャンバとの間には圧力ばねが装着され、本装置は使用しない時につまみを回転させることにより、小回転軸がベベルギヤを連動させて回転させ、更に回転ギヤを回転させ、更に止め金を円弧溝の中に引っ掛からせ、収納ブロックが一定の程度上昇した後、引っ掛かりブロックが横スライド溝の中に引っ掛かり、これにより収納ブロックが制限され、更に化粧品を取って使用することができる。
【０００９】
使用する時、まずつまみを回転させることにより、小回転軸がベベルギヤを連動させて回転させ、更に回転ギヤを回転させ、更に止め金を円弧溝から離脱させ、この時、手で蓋を開け、これにより第一引き線が第四リールを引き動かして回転させ、更にこれにより第五ギヤが第四ギヤを連動させて回転させ、これにより第三リールが第二引き線を引き動かし、更にこれにより左右対称の二つのスライダを互いに近づかせ、これにより昇降板を上昇させ、昇降板が収納ブロックを連動させて上昇させ、収納ブロックが一定の程度上昇した後、引っ掛かりブロックが横スライド溝の中に引っ掛かり、これにより収納ブロックが制限され、この時、第二ギヤが第一ギヤと噛み合い、反転ボタンをひねることにより第一ギヤが横軸を連動させて回転させ、更に円柱ケースを連動させて反転させ、手で阻み板をスライドさせ、阻み板を開け、更に貯蔵チャンバの中の化粧品を取って使用することができ、使用し終わった後、スライドボタンをスライドさせることにより、第一スライド板が第二スライド板を連動させて左へ移動させて引っ掛かりブロックを押して戻らせ、引っ掛かりブロックを復帰させ、収納ブロックが復帰ばねの作用のもとで元の位置に戻り、蓋を閉める。
【発明の効果】
【００１０】
本発明の有益効果は：従来のコスメバッグと比べ、本発明のコスメバッグは収納ブロックの昇降により、化粧品を取ることをもっと便利にし、しかも本発明の円柱ケースの中には二層の貯蔵チャンバが設置され、化粧品の分類に便利であり、取って使う時に探すことに時間があまりかからない。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の携帯しやすいコスメバッグの内部全体構成模式図
【図２】図２は本発明の図１の中のＡの部分拡大模式図
【図３】図３は本発明の図１の中のＢの部分拡大模式図
【図４】図４は本発明の図１の中のＣの部分拡大模式図
【図５】図５は本発明の図１の中のＤの部分拡大模式図
【図６】図６は本発明の図１の中のＥの部分拡大模式図
【図７】図７は本発明の図１の中のＦ−Ｆ方向の部分拡大模式図
【発明を実施するための形態】
【００１３】
図１〜７を参照し、本発明の実施例の携帯しやすいコスメバッグは、バッグ主体１０を含み、前記バッグ主体１０の頂部には蓋１２がヒンジにより連結され、前記蓋１２の頂部には取っ手１４が固定的に設置され、前記蓋１２の底端には反射鏡１３が固定的に設置され、前記反射鏡１３が光を反射する作用を果たし、前記蓋１２の底端右側位置の所にはロックブロック３７が固定的に設置され、前記ロックブロック３７の中には円弧溝３８が設置され、前記バッグ主体１０の中には中部空きチャンバ１８が設置され、前記バッグ主体１０の中には化粧品を置くことができる貯蔵機構８１が設置され、前記中部空きチャンバ１８の底部には長スライド溝２２が設置され、前記長スライド溝２２の底壁には第一糸巻きチャンバ６６が設置され、前記長スライド溝２２と前記中部空きチャンバ１８との間が連通溝２４により連通され、前記長スライド溝２２の中には前記貯蔵機構８１を上昇または下降させる昇降機構８０が設置され、前記中部空きチャンバ１８の左右両側端壁には矩形スライド溝１５が対称的に設置され、前記第一糸巻きチャンバ６６の左側には第二糸巻きチャンバ２１が設置され、前記第二糸巻きチャンバ２１の頂部には第三糸巻きチャンバ６３が設置される。
【００１４】
前記貯蔵機構８１は前記中部空きチャンバ１８の中にスライドできるように設置される収納ブロック２６を含み、前記収納ブロック２６の中には円柱ケース７１が回転できるように設置され、前記円柱ケース７１には貯蔵チャンバ２７が設置され、前記貯蔵チャンバ２７が二つあり、且つ上下対称的に設置され、前記貯蔵チャンバ２７の左右両側端壁の間には弧状板３０が固定的に設置され、前記弧状板３０には阻み板３３がスライドできるように設置され、前記阻み板３３の中には弧状溝３１が設置され、前記弧状溝３１の中には固定板３２が固定的に設置され、前記固定板３２と前記弧状板３０との間にはばね３５が装着され、右側の前記矩形スライド溝１５の右壁内には反転軸４５が回転できるように設置され、前記反転軸４５の左側末端には第一ギヤ４６が固定的に設置され、前記反転軸４５の右側末端には反転ボタン４４が固定的に設置され、前記円柱ケース７１の中には横軸２８が固定的に設置され、前記横軸２８が前記円柱ケース７１の右側を貫通し、且つ前記円柱ケース７１と回転できるように設置され、前記収納ブロック２６の左右両端には固定ブロック４８が固定的に設置され、左側の前記固定ブロック４８と左側の前記矩形スライド溝１５との間には復帰ばね１６が装着され、右側の前記固定ブロック４８の中には凹溝４９が設置され、前記横軸２８が前記凹溝４９の中に挿入し、且つ前記固定ブロック４８と回転できるように装着され、前記横軸２８の右端には第二ギヤ５０が固定的に設置され、収納ブロック２６を制御して上昇させることにより、第二ギヤ５０を第一ギヤ４６と噛み合わせ、反転ボタン４４をひねることにより第一ギヤ４６が横軸２８を連動させて回転させ、更に円柱ケース７１を連動させて反転させ、手で阻み板３３をスライドさせ、それにより阻み板３３を開け、更に貯蔵チャンバ２７の中の化粧品を取って使用することができる。
【００１５】
前記昇降機構８０は前記第一糸巻きチャンバ６６の中に回転できるように設置される二つの互いに噛み合っている第三ギヤ６４を含み、前記第三ギヤ６４の前側端面には第一リール６５が固定的に設置され、前記長スライド溝２２の中には左右対称のスライダ１９がスライドできるように設置され、二つの前記スライダ１９のうち互いに近接している一端にはいずれもコンロッド２３がヒンジにより連結され、前記収納ブロック２６の底端には昇降板２５がスライドできるように設置され、前記昇降板２５が前記コンロッド２３とヒンジにより連結され、前記第二糸巻きチャンバ２１の中には第二リール２０が回転できるように設置され、前記第三糸巻きチャンバ６３の中には第三リール６１が回転できるように設置され、前記第三リール６１の前端には第四ギヤ６２が固定的に設置され、前記第三糸巻きチャンバ６３の中にはまた第五ギヤ５９が回転できるように設置され、前記第五ギヤ５９が前記第四ギヤ６２と噛み合い、前記第五ギヤ５９の前側端には第四リール６０が固定的に設置され、前記第四リール６０と前記蓋１２との間が第一引き線７２により連結され、前記第三リール６１には第二引き線１７が固定的に設置され、前記第二引き線１７が前記第二リール２０及び左側の前記第一リール６５を経由して左側の前記スライダ１９と固定され、右側の前記第一リール６５と右側の前記矩形スライド溝１５との間には第三引き線７４が連結され、蓋１２を開けることにより、第一引き線７２が第四リール６０を引き動かして回転させ、更にこれにより第五ギヤ５９が第四ギヤ６２を連動させて回転させ、第三リール６１が第二引き線１７を引き動かし、更にこれにより左右対称の二つのスライダ１９を互いに近づかせる。
【００１６】
前記反転軸４５の頂部にはロック空きチャンバ７６が設置され、前記ロック空きチャンバ７６の中には回転ギヤ３９が回転できるように設置され、前記回転ギヤ３９の前端には止め金４０が固定的に設置され、前記ロック空きチャンバ７６の右壁内には小回転軸４２が回転できるように設置され、前記小回転軸４２の左端にはベベルギヤ４１が固定的に設置され、前記ベベルギヤ４１が前記回転ギヤ３９と噛み合って設置され、前記小回転軸４２の右端にはつまみ４３が固定的に設置され、前記バッグ主体１０の右端面にはボタン溝５３が設置され、前記ボタン溝５３の左側端壁には縦スライド溝５５が設置され、前記縦スライド溝５５の中には第一スライド板５１がスライドできるように設置され、前記第一スライド板５１の左側端には第一復帰機構５４が固定的に設置され、前記第一スライド板５１の右端にはスライドボタン５２が固定的に設置され、前記縦スライド溝５５の左側端壁には横スライド溝７７が設置され、前記横スライド溝７７の中には第二スライド板５７がスライドできるように設置され、前記第二スライド板５７の頂端には第二復帰機構５８が設置され、前記収納ブロック２６の右側端面には小スライドチャンバ６９が設置され、前記小スライドチャンバ６９の中には引っ掛かりブロック６７がスライドできるように設置され、前記引っ掛かりブロック６７と前記小スライドチャンバ６９との間には圧力ばね６８が装着され、本装置は使用しない時につまみ４３を回転させることにより、小回転軸４２がベベルギヤ４１を連動させて回転させ、更に回転ギヤ３９を回転させ、更に止め金４０を円弧溝３８の中に引っ掛からせ、収納ブロック２６が一定の程度上昇した後、引っ掛かりブロック６７が横スライド溝７７の中に引っ掛かり、これにより収納ブロック２６が制限され、更に化粧品を取って使用することができる。
【００１７】
使用する時、まずつまみ４３を回転させることにより、小回転軸４２がベベルギヤ４１を連動させて回転させ、更に回転ギヤ３９を回転させ、更に止め金４０を円弧溝３８から離脱させ、この時、手で蓋１２を開け、これにより第一引き線７２が第四リール６０を引き動かして回転させ、更にこれにより第五ギヤ５９が第四ギヤ６２を連動させて回転させ、これにより第三リール６１が第二引き線１７を引き動かし、更にこれにより左右対称の二つのスライダ１９を互いに近づかせ、これにより昇降板２５を上昇させ、昇降板２５が収納ブロック２６を連動させて上昇させ、収納ブロック２６が一定の程度上昇した後、引っ掛かりブロック６７が横スライド溝７７の中に引っ掛かり、これにより収納ブロック２６が制限され、この時、第二ギヤ５０が第一ギヤ４６と噛み合い、反転ボタン４４をひねることにより第一ギヤ４６が横軸２８を連動させて回転させ、更に円柱ケース７１を連動させて反転させ、手で阻み板３３をスライドさせ、阻み板３３を開け、更に貯蔵チャンバ２７の中の化粧品を取って使用することができ、使用し終わった後、スライドボタン５２をスライドさせることにより、第一スライド板５１が第二スライド板５７を連動させて左へ移動させて引っ掛かりブロック６７を押して戻らせ、引っ掛かりブロック６７を復帰させ、収納ブロック２６が復帰ばね１６の作用のもとで元の位置に戻り、蓋１２を閉める。
【００１８】
本発明の有益効果は：従来のコスメバッグと比べ、本発明のコスメバッグは収納ブロックの昇降により、化粧品を取ることをもっと便利にし、しかも本発明の円柱ケースの中には二層の貯蔵チャンバが設置され、化粧品の分類に便利であり、取って使う時に探すことに時間があまりかからない。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175130.tif 000003
【図２】
2020175130.tif 000004
【図３】
2020175130.tif 000005
【図４】
2020175130.tif 000006
【図５】
2020175130.tif 000007
【図６】
2020175130.tif 000008
【図７】
2020175130.tif 000009
【手続補正書】
【提出日】令和2年4月26日(2020.4.26)
【手続補正１】
【補正対象書類名】特許請求の範囲
【補正対象項目名】全文
【補正方法】変更
【補正の内容】
【特許請求の範囲】
【請求項１】
正面視で、バッグ主体を含み、前記バッグ主体の頂部には蓋がヒンジにより連結され、前記蓋の頂部には取っ手が固定的に設置され、前記蓋の底端には反射鏡が固定的に設置され、前記反射鏡が光を反射する作用を果たし、前記蓋の底端右側位置の所にはロックブロックが固定的に設置され、前記ロックブロックの中には円弧溝が設置され、前記バッグ主体の中には中部空きチャンバが設置され、前記バッグ主体の中には化粧品を置くことができる貯蔵機構が設置され、前記中部空きチャンバの底部には長スライド溝が設置され、前記長スライド溝の底壁には第一糸巻きチャンバが設置され、前記長スライド溝と前記中部空きチャンバとの間が連通溝により連通され、前記長スライド溝の中には前記貯蔵機構を上昇または下降させる昇降機構が設置され、前記中部空きチャンバの左右両側端壁には矩形スライド溝が対称的に設置され、前記第一糸巻きチャンバの左側には第二糸巻きチャンバが設置され、前記第二糸巻きチャンバの上方には第三糸巻きチャンバが設置され、
前記貯蔵機構は前記中部空きチャンバの中にスライドできるように設置される収納ブロックを含み、前記収納ブロックの中には円柱ケースが回転できるように設置され、前記円柱ケースには貯蔵チャンバが設置され、前記貯蔵チャンバが二つあり、且つ上下対称的に設置され、前記貯蔵チャンバの左右両側端壁の間には弧状板が固定的に設置され、前記弧状板には阻み板がスライドできるように設置され、前記阻み板の中には弧状溝が設置され、前記弧状溝の中には固定板が固定的に設置され、前記固定板と前記弧状板との間にはばねが装着され、右側の前記矩形スライド溝の右壁には反転軸が回転できるように設置され、前記反転軸の左側末端には第一ギヤが固定的に設置され、前記反転軸の右側末端には反転ボタンが固定的に設置され、前記円柱ケースの中には横軸が固定的に設置され、前記横軸が前記円柱ケースの右側を貫通し、且つ前記収納ブロックと回転できるように連結され、前記収納ブロックの左右両端には固定ブロックが固定的に設置され、左側の前記固定ブロックと左側の前記矩形スライド溝との間には復帰ばねが装着され、右側の前記固定ブロックの中には凹溝が設置され、前記横軸が前記凹溝の中に挿入し、且つ前記固定ブロックと回転できるように装着され、前記横軸の右端には第二ギヤが固定的に設置され、収納ブロックを制御して上昇させることにより、第二ギヤを第一ギヤと噛み合わせ、反転ボタンをひねることにより第一ギヤが横軸を連動させて回転させ、更に円柱ケースを連動させて反転させ、手で阻み板をスライドさせ、それにより阻み板を開け、更に貯蔵チャンバの中の化粧品を取って使用することができ、
前記昇降機構は前記第一糸巻きチャンバの中に回転できるように設置される二つの互いに噛み合っている第三ギヤを含み、前記第三ギヤの前側端面には第一リールが固定的に設置され、前記長スライド溝の中にはスライダが左右対称にかつスライドできるように設置され、二つの前記スライダのうち互いに近接している一端にはいずれもコンロッドがヒンジにより連結され、前記収納ブロックの底端には昇降板がスライドできるように設置され、前記昇降板が前記コンロッドとヒンジにより連結され、前記第二糸巻きチャンバの中には第二リールが回転できるように設置され、前記第三糸巻きチャンバの中には第三リールが回転できるように設置され、前記第三リールの前端には第四ギヤが固定的に設置され、前記第三糸巻きチャンバの中にはまた第五ギヤが回転できるように設置され、前記第五ギヤが前記第四ギヤと噛み合い、前記第五ギヤの前側端には第四リールが固定的に設置され、前記第四リールと前記蓋との間が第一引き線により連結され、前記第三リールには第二引き線が固定的に設置され、前記第二引き線が前記第二リール及び左側の前記第一リールを経由して左側の前記スライダと固定され、右側の前記第一リールと右側の前記矩形スライド溝との間には第三引き線が連結され、蓋を開けることにより、第一引き線が第四リールを引き動かして回転させ、更にこれにより第五ギヤが第四ギヤを連動させて回転させ、第三リールが第二引き線を引き動かし、更にこれにより左右対称の二つのスライダを互いに近づかせることを特徴とする携帯しやすいコスメバッグ。
【請求項２】
前記反転軸の上側にはロック空きチャンバが設置され、前記ロック空きチャンバの中には回転ギヤが回転できるように設置され、前記回転ギヤの前端には止め金が固定的に設置され、前記ロック空きチャンバの右壁には小回転軸が回転できるように設置され、前記小回転軸の左端にはベベルギヤが固定的に設置され、前記ベベルギヤが前記回転ギヤと噛み合って設置され、前記小回転軸の右端にはつまみが固定的に設置され、前記バッグ主体の右端面にはボタン溝が設置され、前記ボタン溝の左側端壁には縦スライド溝が設置され、前記縦スライド溝の中には第一スライド板がスライドできるように設置され、前記第一スライド板の左側端には第一復帰機構が固定的に設置され、前記第一スライド板の右端にはスライドボタンが固定的に設置され、前記縦スライド溝の左側端壁には横スライド溝が設置され、前記横スライド溝の中には第二スライド板がスライドできるように設置され、前記第二スライド板の頂端には第二復帰機構が設置され、前記収納ブロックの右側端面には小スライドチャンバが設置され、前記小スライドチャンバの中には引っ掛かりブロックがスライドできるように設置され、前記引っ掛かりブロックと前記小スライドチャンバとの間には圧力ばねが装着され、本装置は使用しない時につまみを回転させることにより、小回転軸がベベルギヤを連動させて回転させ、更に回転ギヤを回転させ、更に止め金を円弧溝の中に引っ掛からせ、本願発明のコスメバッグを使用する時、収納ブロックが一定の程度上昇した後、引っ掛かりブロックが横スライド溝の中に引っ掛かり、これにより収納ブロックが制限され、更に化粧品を取って使用することができることを特徴とする請求項１に記載の携帯しやすいコスメバッグ。
【手続補正２】
【補正対象書類名】明細書
【補正対象項目名】全文
【補正方法】変更
【補正の内容】
【発明の詳細な説明】
【技術分野】
【０００１】
本発明はコスメバッグ分野を取り上げて、具体的には携帯しやすいコスメバッグである。
【背景技術】
【０００２】
現在市販されているほとんどのコスメバッグは構成が簡単であり、化粧品をコスメバッグの中に置いたらごちゃごちゃになりやすく、分類して置くことができなく、使用する時に物を探すことが難しく、時間がかかり、しかも鏡などの物を置くことが不便であり、化粧品と一緒に置くと鏡が割れやすい。そのため、コスメバッグを設計し、上記の問題を解決することが必要である。
【先行技術文献】
【特許文献】
【０００３】
【特許文献１】中国特許出願公開第102963587号明細書
【発明の概要】
【発明が解決しようとする課題】
【０００４】
本発明は携帯しやすいコスメバッグを提供し、従来技術における上記欠点を解消することを目的とする。
【課題を解決するための手段】
【０００５】
本発明の実施例の携帯しやすいコスメバッグは、バッグ主体を含み、前記バッグ主体の頂部には蓋がヒンジにより連結され、前記蓋の頂部には取っ手が固定的に設置され、前記蓋の底端には反射鏡が固定的に設置され、前記反射鏡が光を反射する作用を果たし、前記蓋の底端右側位置の所にはロックブロックが固定的に設置され、前記ロックブロックの中には円弧溝が設置され、前記バッグ主体の中には中部空きチャンバが設置され、前記バッグ主体の中には化粧品を置くことができる貯蔵機構が設置され、前記中部空きチャンバの底部には長スライド溝が設置され、前記長スライド溝の底壁には第一糸巻きチャンバが設置され、前記長スライド溝と前記中部空きチャンバとの間が連通溝により連通され、前記長スライド溝の中には前記貯蔵機構を上昇または下降させる昇降機構が設置され、前記中部空きチャンバの左右両側端壁には矩形スライド溝が対称的に設置され、前記第一糸巻きチャンバの左側には第二糸巻きチャンバが設置され、前記第二糸巻きチャンバの上方には第三糸巻きチャンバが設置される。
【０００６】
更の技術プランとしては、前記貯蔵機構は前記中部空きチャンバの中にスライドできるように設置される収納ブロックを含み、前記収納ブロックの中には円柱ケースが回転できるように設置され、前記円柱ケースには貯蔵チャンバが設置され、前記貯蔵チャンバが二つあり、且つ上下対称的に設置され、前記貯蔵チャンバの左右両側端壁の間には弧状板が固定的に設置され、前記弧状板には阻み板がスライドできるように設置され、前記阻み板の中には弧状溝が設置され、前記弧状溝の中には固定板が固定的に設置され、前記固定板と前記弧状板との間にはばねが装着され、右側の前記矩形スライド溝の右壁には反転軸が回転できるように設置され、前記反転軸の左側末端には第一ギヤが固定的に設置され、前記反転軸の右側末端には反転ボタンが固定的に設置され、前記円柱ケースの中には横軸が固定的に設置され、前記横軸が前記円柱ケースの右側を貫通し、且つ前記収納ブロックと回転できるように連結され、前記収納ブロックの左右両端には固定ブロックが固定的に設置され、左側の前記固定ブロックと左側の前記矩形スライド溝との間には復帰ばねが装着され、右側の前記固定ブロックの中には凹溝が設置され、前記横軸が前記凹溝の中に挿入し、且つ前記固定ブロックと回転できるように装着され、前記横軸の右端には第二ギヤが固定的に設置され、収納ブロックを制御して上昇させることにより、第二ギヤを第一ギヤと噛み合わせ、反転ボタンをひねることにより第一ギヤが横軸を連動させて回転させ、更に円柱ケースを連動させて反転させ、手で阻み板をスライドさせ、それにより阻み板を開け、更に貯蔵チャンバの中の化粧品を取って使用することができる。
【０００７】
更の技術プランとしては、前記昇降機構は前記第一糸巻きチャンバの中に回転できるように設置される二つの互いに噛み合っている第三ギヤを含み、前記第三ギヤの前側端面には第一リールが固定的に設置され、前記長スライド溝の中にはスライダが左右対称にかつスライドできるように設置され、二つの前記スライダのうち互いに近接している一端にはいずれもコンロッドがヒンジにより連結され、前記収納ブロックの底端には昇降板がスライドできるように設置され、前記昇降板が前記コンロッドとヒンジにより連結され、前記第二糸巻きチャンバの中には第二リールが回転できるように設置され、前記第三糸巻きチャンバの中には第三リールが回転できるように設置され、前記第三リールの前端には第四ギヤが固定的に設置され、前記第三糸巻きチャンバの中にはまた第五ギヤが回転できるように設置され、前記第五ギヤが前記第四ギヤと噛み合い、前記第五ギヤの前側端には第四リールが固定的に設置され、前記第四リールと前記蓋との間が第一引き線により連結され、前記第三リールには第二引き線が固定的に設置され、前記第二引き線が前記第二リール及び左側の前記第一リールを経由して左側の前記スライダと固定され、右側の前記第一リールと右側の前記矩形スライド溝との間には第三引き線が連結され、蓋を開けることにより、第一引き線が第四リールを引き動かして回転させ、更にこれにより第五ギヤが第四ギヤを連動させて回転させ、第三リールが第二引き線を引き動かし、更にこれにより左右対称の二つのスライダを互いに近づかせる。
【０００８】
更の技術プランとしては、前記反転軸の上側にはロック空きチャンバが設置され、前記ロック空きチャンバの中には回転ギヤが回転できるように設置され、前記回転ギヤの前端には止め金が固定的に設置され、前記ロック空きチャンバの右壁には小回転軸が回転できるように設置され、前記小回転軸の左端にはベベルギヤが固定的に設置され、前記ベベルギヤが前記回転ギヤと噛み合って設置され、前記小回転軸の右端にはつまみが固定的に設置され、前記バッグ主体の右端面にはボタン溝が設置され、前記ボタン溝の左側端壁には縦スライド溝が設置され、前記縦スライド溝の中には第一スライド板がスライドできるように設置され、前記第一スライド板の左側端には第一復帰機構が固定的に設置され、前記第一スライド板の右端にはスライドボタンが固定的に設置され、前記縦スライド溝の左側端壁には横スライド溝が設置され、前記横スライド溝の中には第二スライド板がスライドできるように設置され、前記第二スライド板の頂端には第二復帰機構が設置され、前記収納ブロックの右側端面には小スライドチャンバが設置され、前記小スライドチャンバの中には引っ掛かりブロックがスライドできるように設置され、前記引っ掛かりブロックと前記小スライドチャンバとの間には圧力ばねが装着され、本装置は使用しない時につまみを回転させることにより、小回転軸がベベルギヤを連動させて回転させ、更に回転ギヤを回転させ、更に止め金を円弧溝の中に引っ掛からせ、本願発明のコスメバッグを使用する時、収納ブロックが一定の程度上昇した後、引っ掛かりブロックが横スライド溝の中に引っ掛かり、これにより収納ブロックが制限され、更に化粧品を取って使用することができる。
【０００９】
使用する時、まずつまみを回転させることにより、小回転軸がベベルギヤを連動させて回転させ、更に回転ギヤを回転させ、更に止め金を円弧溝から離脱させ、この時、手で蓋を開け、これにより第一引き線が第四リールを引き動かして回転させ、更にこれにより第五ギヤが第四ギヤを連動させて回転させ、これにより第三リールが第二引き線を引き動かし、更にこれにより左右対称の二つのスライダを互いに近づかせ、これにより昇降板を上昇させ、昇降板が収納ブロックを連動させて上昇させ、収納ブロックが一定の程度上昇した後、引っ掛かりブロックが横スライド溝の中に引っ掛かり、これにより収納ブロックが制限され、この時、第二ギヤが第一ギヤと噛み合い、反転ボタンをひねることにより第一ギヤが横軸を連動させて回転させ、更に円柱ケースを連動させて反転させ、手で阻み板をスライドさせ、阻み板を開け、更に貯蔵チャンバの中の化粧品を取って使用することができ、使用し終わった後、スライドボタンをスライドさせることにより、第一スライド板が第二スライド板を連動させて左へ移動させて引っ掛かりブロックを押して戻らせ、引っ掛かりブロックを復帰させ、収納ブロックが復帰ばねの作用のもとで元の位置に戻り、蓋を閉める。
【発明の効果】
【００１０】
本発明の有益効果は：従来のコスメバッグと比べ、本発明のコスメバッグは収納ブロックの昇降により、化粧品を取ることをもっと便利にし、しかも本発明の円柱ケースの中には二層の貯蔵チャンバが設置され、化粧品の分類に便利であり、取って使う時に探すことに時間があまりかからない。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の携帯しやすいコスメバッグの内部全体構成模式図
【図２】図２は本発明の図１の中のＡの部分拡大模式図
【図３】図３は本発明の図１の中のＢの部分拡大模式図
【図４】図４は本発明の図１の中のＣの部分拡大模式図
【図５】図５は本発明の図１の中のＤの部分拡大模式図
【図６】図６は本発明の図１の中のＥの部分拡大模式図
【図７】図７は本発明の図１の中のＦ−Ｆ方向の部分拡大模式図
【発明を実施するための形態】
【００１３】
図１〜７を参照し、本発明の実施例の携帯しやすいコスメバッグは、バッグ主体１０を含み、前記バッグ主体１０の頂部には蓋１２がヒンジにより連結され、前記蓋１２の頂部には取っ手１４が固定的に設置され、前記蓋１２の底端には反射鏡１３が固定的に設置され、前記反射鏡１３が光を反射する作用を果たし、前記蓋１２の底端右側位置の所にはロックブロック３７が固定的に設置され、前記ロックブロック３７の中には円弧溝３８が設置され、前記バッグ主体１０の中には中部空きチャンバ１８が設置され、前記バッグ主体１０の中には化粧品を置くことができる貯蔵機構８１が設置され、前記中部空きチャンバ１８の底部には長スライド溝２２が設置され、前記長スライド溝２２の底壁には第一糸巻きチャンバ６６が設置され、前記長スライド溝２２と前記中部空きチャンバ１８との間が連通溝２４により連通され、前記長スライド溝２２の中には前記貯蔵機構８１を上昇または下降させる昇降機構８０が設置され、前記中部空きチャンバ１８の左右両側端壁には矩形スライド溝１５が対称的に設置され、前記第一糸巻きチャンバ６６の左側には第二糸巻きチャンバ２１が設置され、前記第二糸巻きチャンバ２１の上方には第三糸巻きチャンバ６３が設置される。
【００１４】
前記貯蔵機構８１は前記中部空きチャンバ１８の中にスライドできるように設置される収納ブロック２６を含み、前記収納ブロック２６の中には円柱ケース７１が回転できるように設置され、前記円柱ケース７１には貯蔵チャンバ２７が設置され、前記貯蔵チャンバ２７が二つあり、且つ上下対称的に設置され、前記貯蔵チャンバ２７の左右両側端壁の間には弧状板３０が固定的に設置され、前記弧状板３０には阻み板３３がスライドできるように設置され、前記阻み板３３の中には弧状溝３１が設置され、前記弧状溝３１の中には固定板３２が固定的に設置され、前記固定板３２と前記弧状板３０との間にはばね３５が装着され、右側の前記矩形スライド溝１５の右壁には反転軸４５が回転できるように設置され、前記反転軸４５の左側末端には第一ギヤ４６が固定的に設置され、前記反転軸４５の右側末端には反転ボタン４４が固定的に設置され、前記円柱ケース７１の中には横軸２８が固定的に設置され、前記横軸２８が前記円柱ケース７１の右側を貫通し、且つ前記収納ブロック２６と回転できるように連結され、前記収納ブロック２６の左右両端には固定ブロック４８が固定的に設置され、左側の前記固定ブロック４８と左側の前記矩形スライド溝１５との間には復帰ばね１６が装着され、右側の前記固定ブロック４８の中には凹溝４９が設置され、前記横軸２８が前記凹溝４９の中に挿入し、且つ前記固定ブロック４８と回転できるように装着され、前記横軸２８の右端には第二ギヤ５０が固定的に設置され、収納ブロック２６を制御して上昇させることにより、第二ギヤ５０を第一ギヤ４６と噛み合わせ、反転ボタン４４をひねることにより第一ギヤ４６が横軸２８を連動させて回転させ、更に円柱ケース７１を連動させて反転させ、手で阻み板３３をスライドさせ、それにより阻み板３３を開け、更に貯蔵チャンバ２７の中の化粧品を取って使用することができる。
【００１５】
前記昇降機構８０は前記第一糸巻きチャンバ６６の中に回転できるように設置される二つの互いに噛み合っている第三ギヤ６４を含み、前記第三ギヤ６４の前側端面には第一リール６５が固定的に設置され、前記長スライド溝２２の中にはスライダ１９が左右対称にかつスライドできるように設置され、二つの前記スライダ１９のうち互いに近接している一端にはいずれもコンロッド２３がヒンジにより連結され、前記収納ブロック２６の底端には昇降板２５がスライドできるように設置され、前記昇降板２５が前記コンロッド２３とヒンジにより連結され、前記第二糸巻きチャンバ２１の中には第二リール２０が回転できるように設置され、前記第三糸巻きチャンバ６３の中には第三リール６１が回転できるように設置され、前記第三リール６１の前端には第四ギヤ６２が固定的に設置され、前記第三糸巻きチャンバ６３の中にはまた第五ギヤ５９が回転できるように設置され、前記第五ギヤ５９が前記第四ギヤ６２と噛み合い、前記第五ギヤ５９の前側端には第四リール６０が固定的に設置され、前記第四リール６０と前記蓋１２との間が第一引き線７２により連結され、前記第三リール６１には第二引き線１７が固定的に設置され、前記第二引き線１７が前記第二リール２０及び左側の前記第一リール６５を経由して左側の前記スライダ１９と固定され、右側の前記第一リール６５と右側の前記矩形スライド溝１５との間には第三引き線７４が連結され、蓋１２を開けることにより、第一引き線７２が第四リール６０を引き動かして回転させ、更にこれにより第五ギヤ５９が第四ギヤ６２を連動させて回転させ、第三リール６１が第二引き線１７を引き動かし、更にこれにより左右対称の二つのスライダ１９を互いに近づかせる。
【００１６】
前記反転軸４５の上側にはロック空きチャンバ７６が設置され、前記ロック空きチャンバ７６の中には回転ギヤ３９が回転できるように設置され、前記回転ギヤ３９の前端には止め金４０が固定的に設置され、前記ロック空きチャンバ７６の右壁には小回転軸４２が回転できるように設置され、前記小回転軸４２の左端にはベベルギヤ４１が固定的に設置され、前記ベベルギヤ４１が前記回転ギヤ３９と噛み合って設置され、前記小回転軸４２の右端にはつまみ４３が固定的に設置され、前記バッグ主体１０の右端面にはボタン溝５３が設置され、前記ボタン溝５３の左側端壁には縦スライド溝５５が設置され、前記縦スライド溝５５の中には第一スライド板５１がスライドできるように設置され、前記第一スライド板５１の左側端には第一復帰機構５４が固定的に設置され、前記第一スライド板５１の右端にはスライドボタン５２が固定的に設置され、前記縦スライド溝５５の左側端壁には横スライド溝７７が設置され、前記横スライド溝７７の中には第二スライド板５７がスライドできるように設置され、前記第二スライド板５７の頂端には第二復帰機構５８が設置され、前記収納ブロック２６の右側端面には小スライドチャンバ６９が設置され、前記小スライドチャンバ６９の中には引っ掛かりブロック６７がスライドできるように設置され、前記引っ掛かりブロック６７と前記小スライドチャンバ６９との間には圧力ばね６８が装着され、本装置は使用しない時につまみ４３を回転させることにより、小回転軸４２がベベルギヤ４１を連動させて回転させ、更に回転ギヤ３９を回転させ、更に止め金４０を円弧溝３８の中に引っ掛からせ、本願発明のコスメバッグを使用する時、収納ブロック２６が一定の程度上昇した後、引っ掛かりブロック６７が横スライド溝７７の中に引っ掛かり、これにより収納ブロック２６が制限され、更に化粧品を取って使用することができる。
【００１７】
使用する時、まずつまみ４３を回転させることにより、小回転軸４２がベベルギヤ４１を連動させて回転させ、更に回転ギヤ３９を回転させ、更に止め金４０を円弧溝３８から離脱させ、この時、手で蓋１２を開け、これにより第一引き線７２が第四リール６０を引き動かして回転させ、更にこれにより第五ギヤ５９が第四ギヤ６２を連動させて回転させ、これにより第三リール６１が第二引き線１７を引き動かし、更にこれにより左右対称の二つのスライダ１９を互いに近づかせ、これにより昇降板２５を上昇させ、昇降板２５が収納ブロック２６を連動させて上昇させ、収納ブロック２６が一定の程度上昇した後、引っ掛かりブロック６７が横スライド溝７７の中に引っ掛かり、これにより収納ブロック２６が制限され、この時、第二ギヤ５０が第一ギヤ４６と噛み合い、反転ボタン４４をひねることにより第一ギヤ４６が横軸２８を連動させて回転させ、更に円柱ケース７１を連動させて反転させ、手で阻み板３３をスライドさせ、阻み板３３を開け、更に貯蔵チャンバ２７の中の化粧品を取って使用することができ、使用し終わった後、スライドボタン５２をスライドさせることにより、第一スライド板５１が第二スライド板５７を連動させて左へ移動させて引っ掛かりブロック６７を押して戻らせ、引っ掛かりブロック６７を復帰させ、収納ブロック２６が復帰ばね１６の作用のもとで元の位置に戻り、蓋１２を閉める。
【００１８】
本発明の有益効果は：従来のコスメバッグと比べ、本発明のコスメバッグは収納ブロックの昇降により、化粧品を取ることをもっと便利にし、しかも本発明の円柱ケースの中には二層の貯蔵チャンバが設置され、化粧品の分類に便利であり、取って使う時に探すことに時間があまりかからない。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。